(57)【要約】【課題】光ディスクや半導体メモリ等の情報記憶媒体に記憶されている情報（コンテンツ）を再生することなく、どのようなコンテンツが同種の記憶装置におけるどの記憶装置に記憶されているのかを容易に知ることが可能な識別情報を生成する。【解決手段】情報量をビット単位で書き替え可能な光ディスク１を有するディスクカートリッジ２０を同種の他のディスクカートリッジ２０と識別するために、十進法で表現される少なくとも４桁の固有の識別情報を生成させてそれぞれのディスクカートリッジ２０に付与する記憶装置の識別情報生成方法であって、識別情報の全部又は一部を、情報記憶媒体に関する特定の物の使用に割り当てられている情報記憶媒体の特定記憶領域における少なくとも下位の３バイトを用いて生成させる。【選択図】　　　　図３
2004021641.tif 000002
【特許請求の範囲】
【請求項１】
情報量をビット単位で書き替え可能な情報記憶媒体を有する記憶装置を同種の他の記憶装置と識別するために、十進法で表現される少なくとも４桁の固有の識別情報を生成させてそれぞれの記憶装置に付与する記憶装置の識別情報生成方法であって、
上記識別情報の全部又は一部を、上記情報記憶媒体に関する特定の物の使用に割り当てられている当該情報記憶媒体の特定記憶領域における少なくとも下位の３バイトを用いて生成させるようにしたことを特徴とする記憶装置の識別情報生成方法。
【請求項２】
上記特定記憶領域は、上記情報記憶媒体を製造する製造者又は販売する販売者に対して割り当てられている製造者等使用領域であることを特徴とする請求項１記載の記憶装置の識別情報生成方法。
【請求項３】
上記情報記憶媒体は、ディスク状をなす媒体本体の一面又は両面に情報を記録するための情報記憶領域が設けられたディスク状記憶媒体からなり、
上記識別情報は、上記ディスク状記憶媒体の上記情報記憶領域のうち最内周側に設けたことを特徴とする請求項１記載の記憶装置の識別情報生成方法。
【請求項４】
上記情報記憶媒体は、情報の書き換えが可能な半導体メモリが設けられた半導体記憶装置からなり、
上記識別情報は、上記半導体記憶装置の上記半導体メモリに固有に割り当てられた記憶領域に記憶されていることを特徴とする請求項１記載の記憶装置の識別情報生成方法。
【請求項５】
上記識別情報を上記情報記憶媒体の表面に印刷、刻印、書込み又はラベル貼付等の表示手段によって表示し、当該識別情報を外部から視認できるようにしたことを特徴とする請求項１記載の記憶装置の識別情報生成方法。
【請求項６】
上記識別情報を上記情報記憶媒体が収納される筐体の表面に印刷、刻印、書込み又はラベル貼付等の表示手段によって表示し、当該識別情報を上記筐体を介して外部から視認できるようにしたことを特徴とする請求項１記載の記憶装置の識別情報生成方法。
【請求項７】
上記識別情報は上記情報記憶媒体に記憶されている情報を光学的に再生するピックアップ装置によって再生可能な形態で記憶され、当該識別情報自体又は当該識別情報の内容が表示装置によって表示可能であることを特徴とする請求項１記載の記憶装置の識別情報生成方法。
【発明の詳細な説明】
【０００１】
【発明の属する技術分野】
本発明は、情報量をビット単位で書き換え可能な情報記憶媒体を有する記憶装置を同種の他の記憶装置と識別するために、それぞれの記憶装置に個別に付与される識別情報を生成させる記憶装置の識別情報生成方法に関するものである。
【０００２】
【従来の技術】
近年、ＤＶＤ（デジタルバーサタイルディスク）に代表される光ディスクや光磁気ディスク等の大記憶容量の光学ディスクにテレビ番組や音楽等のコンテンツを記録、再生することが実現されつつある。
【０００３】
【発明が解決しようとする課題】
このような大容量の光学ディスクには、多くのコンテンツが記録可能である。従って、どの光学ディスクにどのコンテンツが記録されているかを見出すためには、一々光学ディスクを記録再生装置に争点して再生してみる必要があり、そのため、煩雑で手間がかかるという問題がある。このような問題点は、光学ディスクと同様にメモリカード等に代表される半導体記録装置についても言える。
【０００４】
このような問題を解決する１つの方法として、例えば、それぞれの情報記憶媒体に固有の識別情報（例えば、ＩＤ番号など）を付与し、そのＩＤ番号によって情報記憶媒体を１個ずつ個別に特定することが考えられる。この場合、ＩＤ番号によるユーザーの視認性を良くするためには、１０進数で表すことが明確且つ簡単であって好ましい。
【０００５】
従来の、この種の光学ディスクのＩＤ番号としては、例えば、１６を基数とする１６進法が利用されているものがあり、そのＩＤ番号は１６進数で表されている。そして、それぞれの光学ディスクについて固有の値を付与するため、１個のＩＤ番号について多くのバイト（Ｂｙｔｅ）数が与えられている。そのため、多数の光学ディスクをＩＤ番号で識別して取り扱い若しくは処理する装置においては、そのＩＤ番号の数値の桁数が大きいために１６進数から１０進数に変換する計算の処理時間が長くなってしまう。その結果、このＩＤ番号を利用するアプリケーションの処理時間を大きくしてしまうという課題が予想される。
【０００６】
一方、このような欠点を補うために、上述したＩＤ番号により取り扱われるバイト数を少なくすることが考えられるが、そのバイト数をあまり少なくしてしまうと、同じ番号が頻繁に出現するようになる。その結果、同じＩＤ番号の出現により却ってユーザーでの区別がしにくくなるという課題が予想される。
【０００７】
本発明は、このような従来の課題に鑑みてなされたものであり、光ディスクや半導体メモリ等の情報記憶媒体に記憶されている情報（コンテンツ）を再生することなく、どのようなコンテンツが同種の記憶装置におけるどの記憶装置に記憶されているのかを容易に知ることが可能な識別情報を生成する方法を提供することにある。
【０００８】
【課題を解決するための手段】
上述したような課題等を解決し、上記目的を達成するために、本出願の請求項１記載の記憶装置の識別情報生成方法は、情報量をビット単位で書き替え可能な情報記憶媒体を有する記憶装置を同種の他の記憶装置と識別するために、十進法で表現される少なくとも４桁の固有の識別情報を生成させてそれぞれの記憶装置に付与する記憶装置の識別情報生成方法であって、識別情報の全部又は一部を、情報記憶媒体に関する特定の物の使用に割り当てられている情報記憶媒体の特定記憶領域における少なくとも下位の３バイトを用いて生成させるようにしたことを特徴としている。
【０００９】
本出願の請求項２記載の記憶装置の識別情報生成方法は、特定記憶領域は、情報記憶媒体を製造する製造者又は販売する販売者に対して割り当てられている製造者等使用領域であることを特徴としている。
【００１０】
本出願の請求項３記載の記憶装置の識別情報生成方法は、情報記憶媒体は、ディスク状をなす媒体本体の一面又は両面に情報を記録するための情報記憶領域が設けられたディスク状記憶媒体からなり、識別情報は、ディスク状記憶媒体の情報記憶領域のうち最内周側に設けたことを特徴としている。
【００１１】
本出願の請求項４記載の記憶装置の識別情報生成方法は、情報記憶媒体は、情報の書き換えが可能な半導体メモリが設けられた半導体記憶装置からなり、識別情報は、半導体記憶装置の半導体メモリに固有に割り当てられた記憶領域に記憶されていることを特徴としている。
【００１２】
本出願の請求項５記載の記憶装置の識別情報生成方法は、識別情報を情報記憶媒体の表面に印刷、刻印、書込み又はラベル貼付等の表示手段によって表示し、識別情報を外部から視認できるようにしたことを特徴としている。
【００１３】
本出願の請求項６記載の記憶装置の識別情報生成方法は、識別情報を情報記憶媒体が収納される筐体の表面に印刷、刻印、書込み又はラベル貼付等の表示手段によって表示し、識別情報を筐体を介して外部から視認できるようにしたことを特徴としている。
【００１４】
本出願の請求項７記載の記憶装置の識別情報生成方法は、識別情報は情報記憶媒体に記憶されている情報を光学的に再生するピックアップ装置によって再生可能な形態で記憶され、識別情報自体又は識別情報の内容が表示装置によって表示可能であることを特徴としている。
【００１５】
上述のように構成したことにより、本出願の請求項１記載の記憶装置の識別情報生成方法では、情報記憶媒体の特定の物の使用に割り当てられている特定記憶領域の少なくとも下位の３バイトを用いて識別情報の全部又は一部を生成することにより、多くの同種の記憶装置に対して個別に識別情報を生成させて付与することができる。その結果、使用する数値の桁数があまり大きくなることがなく、この識別情報を利用する装置による処理時間を短くできると共に、同じ識別情報が生成されるのを極力少なくしてユーザーによる区別が容易にできるようにする。
【００１６】
本出願の請求項２記載の記憶装置の識別情報生成方法では、情報記憶媒体の特定記憶領域として製造者等使用領域を用いることにより、製造者又は販売者において都合の良い識別情報を任意に生成させることができ、製造者等の段階において同種の記憶装置内で他の記憶装置と容易に識別することができる。
【００１７】
本出願の請求項３記載の記憶装置の識別情報生成方法では、多数のディスク状記憶媒体に対して十進法で表現される少なくとも４桁の固有の識別情報を生成させて付与することができ、ディスク状記憶媒体に固有に割り当てられたディスク識別情報を情報記憶領域の特定記憶領域に記憶することにより、その特定記憶領域に記憶されたコンテンツ情報をディスク用の記録再生装置により検索して識別することができる。
【００１８】
本出願の請求項４記載の記憶装置の識別情報生成方法では、多数の半導体記憶装置に対して十進法で表現される少なくとも４桁の固有の識別情報を生成させて付与することができ、半導体記憶装置に固有に割り当てられた半導体メモリ識別情報を半導体メモリの特定記憶領域に記憶することにより、その特定記憶領域に記憶されたコンテンツ情報を半導体メモリ用の記録再生装置により検索して識別することができる。
【００１９】
本出願の請求項５記載の記憶装置の識別情報生成方法では、識別情報を情報記憶媒体の表面に印刷、刻印、書込み、ラベル貼付等の表示手段によって表示し、その識別情報を外部から視認できるようにすることにより、情報記憶媒体のコンテンツを再生することなく、どのようなコンテンツがどの情報記憶媒体に記憶されているかを容易に知ることができる。
【００２０】
本出願の請求項６記載の記憶装置の識別情報生成方法では、識別情報を情報記憶媒体が収納される筐体の表面に印刷、刻印、書込み、ラベル貼付等の表示手段によって表示し、その識別情報を外部から視認できるようにすることにより、中身である情報記憶媒体のコンテンツを再生することなく、どのようなコンテンツがどの筐体内の情報記憶媒体に記憶されているかを容易に知ることができる。
【００２１】
本出願の請求項７記載の記憶装置の識別情報生成方法では、情報記憶媒体に記憶されている識別情報を光学的に再生するピックアップ装置によって再生することにより、識別情報自体又はその識別情報の内容である記録再生装置により検索して識別できると共に、そのコンテンツ情報を表示装置に表示することができる。
【００２２】
【発明の実施の形態】
以下、本発明の実施の形態を添付図面を参照して説明する。図１乃至図５は本発明の実施の例を示すものである。即ち、図１は本発明の情報記憶媒体の第１の実施例を示す光学ディスクの構成を示す説明図、図２（Ａ）〜（Ｃ）は図１に示す光学ディスクに識別情報を記録した説明図、図３（Ａ）〜（Ｅ）は図１に示す光学ディスク、この光学ディスクが収納されたディスクカートリッジ及びこのディスクカートリッジが収納された保護筐体の一実施例を示す説明図、図４は本発明の情報記憶媒体の第１の実施の形態における記録再生システムの構成を示す説明図、図５（Ａ），（Ｂ）は本発明の情報記憶媒体の第２の実施例を示す半導体記憶装置に識別情報を視認可能に設けた説明図である。
【００２３】
まず、本発明の情報記憶媒体の第１の実施例を示す光学ディスクについて説明する。図１は、光学ディスクの一例としての光ディスクの構成を示す斜視図である。図１に示すように、光ディスク１は円板状の基体２を備えている。基体２の中心部には、ターンテーブルが嵌合されるセンタ孔３が設けられている。この基体２の一方の面には環状の情報記憶面４が形成されている。
【００２４】
基体２の情報記憶面４は、それぞれ半径方向内側から外側に向けて並べられた環状のディスク保持用領域５、トランジション領域６、情報記憶領域７及びリム領域８とから構成されている。情報記憶領域７に対する情報の記録及び再生は、情報記憶面４側から光ピックアップ装置によって光ビームが照射されることによりなされる。また、基体２の他方の面、即ち、情報記憶面４と反対側の面には、環状の面（以下「基盤面」という。）９が形成されている。この基盤面９には、後述するように識別情報の第１の具体例を示すディスク識別情報が記録される。更に、基盤面９は、例えば、オーディオＣＤやＣＤ−Ｒ等において文字やイラスト、画像等の印刷が施される側の面である。
【００２５】
情報記憶面４のディスク保持用領域５は、光ディスク１を周知のクランピング機構によってクランプするための領域である。このディスク保持用領域５は、内周側に設けられているインナーエリア５ａと、このインナーエリア５ａの外周側に設けられているクランピングエリア５ｂとから構成されている。トランジション領域６は、ディスク保持用領域５と情報記憶領域７との間に形成されている部分であり、情報の記録がなされない領域である。また、リム領域８は、情報記憶領域７と基体２の外縁部２ａとの間に形成されている部分であり、情報の記録がなされない領域である。
【００２６】
情報記憶領域７は、基体２の径方向内側に形成されるエンボス領域７ａと、このエンボス領域７ａの径方向外側に形成されるリライタブル領域７ｂとから構成されている。エンボス領域７ａは、情報が書き替え不能に記憶された領域であり、このエンボス領域７ａに対する情報の記憶は、凹状のピットを成形加工して設けることによって行われる。このように、エンボス領域７ａには凹状のピットによって情報が記憶されているため、この情報を書き替えることは不可能となっている。
【００２７】
リライタブル領域７ｂは、光ディスク１内でのアドレス情報を示すピット（成形加工によって設けられている）を含み、情報が書き替え可能な領域である。このリライタブル領域７ｂに対する情報の記憶は、光ピックアップ装置から照射される光ビームによってグルーブ又はランドの記録膜に結晶状態と非結晶状態によりピット状のパターンを形成することによって行われる。
【００２８】
情報記憶領域７は、エンボス領域７ａとリライタブル領域７ｂとによって構成されているが、情報記憶領域７のフォーマットは、内周側からリードイン領域１０とデータ領域１１とリードアウト領域１２との３領域に区分されている。リードイン領域１０は、エンボス領域７ａのすべてとリライタブル領域７ｂのうちエンボス領域７ａに隣接している一部の領域とから構成されている。このリードイン領域１０には、リードイン情報として、ディスク一般情報（例えば、回転速度、ディスク種類、トラッキング情報等）、レーザパワー較正領域、欠陥管理情報等のほか、後述するように光ディスク１を他の光ディスク１と識別するための識別情報が記憶されるようになっている。
【００２９】
リードアウト領域１２は、情報記憶領域７の外周寄りの一部から構成されている。このリードアウト領域１２には、リードアウト情報として、欠陥管理情報等が記憶されるようになっている。また、データ領域１１は、情報記憶領域７のうち、リードイン領域１０とリードアウト領域１２とによって挟まれた領域であり、ユーザーによって自由な内容のコンテンツが書き替え可能に記憶される領域である。
【００３０】
なお、本実施例において適用した光ディスク１は、情報の書き替えが可能な相変化型光ディスクであり、この相変化型光ディスクは、その記憶膜が結晶状態と非結晶質（アモルファス）状態とに可逆的に変化し、結晶状態と非結晶質状態とで記憶膜の反射率が変化することを利用して情報の記録再生を行うように構成されている。
【００３１】
次に、上述した光ディスク１の製造工程について説明する。まず、溶融したポリカーボネートをスタンパのついた金型に充填することによりＰＣ基板を射出成形する。これにより、ＰＣ基板には、ランド部とグルーブ部が形成される。次に、ＰＣ基板上に相変化による記録が可能な記憶膜を形成し、その記憶膜の上に保護層を形成する。次いで、記憶膜にレーザビームを照射若しくは加熱し、記憶膜の初期化を行う。これにより、環状のディスク保護用領域５、トランジション領域６、情報記憶領域７及びリム領域８からなる情報記憶面４を有する光ディスク１が製造される。
【００３２】
本発明では、上述のように構成された光ディスク１の各光ディスク１毎に、後述するようにして生成される固有の識別情報の第１の具体例を示すディスク識別情報を情報記録領域７の特定記憶領域に記憶すると共に、そのディスク識別情報を外部から視認可能なように適当な箇所に表示するように構成されている。
【００３３】
この識別情報は、情報量をビット単位で書き替え可能な情報記憶媒体を有する記憶装置を同種の他の記憶装置と識別するために、十進法で表現される少なくとも４桁で表示されるもので、一連の続き番号として順次生成される。このディスク識別情報は、光ディスク１毎に固有に割り当てられる情報であり、４桁の数字（「００００」から「９９９９」まで）のみで構成しても良く、また５桁以上の数字（例えば「０００００」から「０９９９９」まで、又は「０００００」から「９９９９０」まで等）で構成し、或いは４桁の数字若しくは５桁以上の数字とアルファベット等の文字との組み合わせ（例えば「Ａ００００」から「Ａ９９９９」、又は「００００Ｚ」から「９９９９Ｚ」まで等）等によって構成することができる。
【００３４】
この識別情報の生成方法について、次に、４桁の数字のみで構成した例について説明する。この識別情報を十進法による４桁の数字のみで構成すると、「００００」から「９９９９」までの数値になる。
【００３５】
いま、４桁の数字「００００」〜「９９９９」を２バイト（Ｂｙｔｅ）、即ち１６ビット（Ｂｉｔ）で表すことを考える。１６ビットは２１６であるため、２１６＝６５，５３６となり、６５，５３６種類の数値が得られる。これに４桁の数字００００〜９９９９を対応させると、表１の２バイトの場合として示すような関係となる。
【００３６】
【表１】
2004021641.tif 000003
【００３７】
即ち、ディスク番号が「１」から始まり、これに対応して識別情報であるカートリッジＩＤが「００００」から始まるものとすると、ディスク番号が「１００００」となったときにカートリッジＩＤが「９９９９」となる。続いて、ディスク番号が「１０００１」になると、カートリッジＩＤは「００００」に戻り、カートリッジＩＤのみが２回目のカウントになる。このカートリッジＩＤのカウント数が７回目になると、ディスク番号が「６０００１」になるが、２バイト（１６ビット）＝６５，５３６であるため、７回目のカートリッジＩＤ「５５３５」の後、そのカートリッジＩＤは「００００」に戻ってしまう。即ち、ディスク番号「６５５３７」においてカートリッジＩＤが「００００」になる（８回目）。
【００３８】
従って、２バイト当たりのカートリッジＩＤの存在比は、
（００００〜５５３５の出現回数）：（５５３６〜９９９９の出現回数）＝７：６
となる。
このように、２バイトで４桁の数字を表すものとすると、偏りのレベルが大きく出てしまうことになる。
【００３９】
次に、４桁の数字「００００」〜「９９９９」を３バイト、即ち２４ビットで表すことを考える。２４ビットは２２４であるため、２２４＝１６，７７７，２１６となり、１６，７７７，２１６種類の数値が得られる。これに４桁の数字００００〜９９９９を対応させると、表１の３バイトの場合として示すような関係となる。
【００４０】
同じくディスク番号が「１」から始まり、これに対応して識別情報であるカートリッジＩＤが「００００」から始まるものとすると、ディスク番号が「１００００」となったときにカートリッジＩＤが「９９９９」となる。続いて、ディスク番号が「１０００１」になると、カートリッジＩＤは「００００」に戻り、カートリッジＩＤのみが２回目のカウントになる。このカートリッジＩＤのカウント数は、１６７７回目まで同様にして行われる。
【００４１】
次に、カートリッジＩＤのカウント数が１６７８回目になると、ディスク番号が「１６７７７２１７」になるが、３バイト（２４ビット）＝１６，７７７，２１６であるため、１６７７回目のカートリッジＩＤ「７２１５」の後、そのカートリッジＩＤは「００００」に戻ってしまう。即ち、ディスク番号「１６７７７２１７」においてカートリッジＩＤが「００００」になる（１６７８回目）。
【００４２】
従って、３バイト当たりのカートリッジＩＤの存在比は、
（００００〜７２１５の出現回数）：（７２１６〜９９９９の出現回数）＝１６７８：１６７７
となる。
このように、３バイトで４桁の数字を表すものとすると、偏りのレベルが小さくなる。
【００４３】
これらから、次のような関係を導き出すことができる。例えば、ブランクメディアが市場に１億枚存在する場合を考える。このとき、２バイトの場合、上述した存在比は、次のようになる。
００００〜５５３５の出現回数は、１００，０００，０００個×７／６５，５３６＝１０，６８１個
５５３６〜９９９９の出現回数は、１００，０００，０００個×６／６５，５３６＝９，１５５個
となり、両者の差は１，５２６個となる。これは、１，５２６個の重複したカートリッジＩＤが存在していることを意味している。
【００４４】
一方、３バイトの場合、上述した存在比は、次のようになる。
００００〜７２１５の出現回数は、１００，０００，０００個×１，６７８／１６，７７７，２１６＝１０，００１個
７２１６〜９９９９の出現回数は、１００，０００，０００個×１，６７７／１６，７７７，２１６＝９，９９５個
となり、両者の差はわずかに６個にしかならない。これは、重複したカートリッジＩＤは、わずかに６個しか存在していないことを意味している。
【００４５】
なお、バイト数を増やして４バイト以上で識別情報を生成させることも考えられる。この場合には、ディスクＩＤの出現回数が更に増大するため、上述した差が更に小さくなるが、光ディスク等の情報記憶媒体が市場に出回る実際の数を考慮すると、３バイトの場合で十分に満足する結果を得ることができる。しかも、バイト数が４バイト以上になると、その増加数に応じて、後述する検索装置等による識別情報検索等のための処理時間が増加するという好ましくない状態になる。従って、現実的には、３バイトを用いて４桁の十進数を生成されることが最も好ましいということができる。しかしながら、４バイト以上を用いて識別情報を生成させるようにしても良いことは勿論である。
【００４６】
このように、光ディスク１毎に固有のＩＤ番号を４桁の十進数で生成するのに際し、光ディスク１に用いられる固有のシリアルナンバーのうち少なくとも下位３バイトを識別情報として用いるようにする。これにより、同じ番号の識別情報の再現率を低くしながら、現実的に使用可能な桁数であって、検索等の処理時間があまり掛かることがない識別情報の生成を可能とすることができる。
【００４７】
上述のようにして生成されるディスク識別情報は、光ディスク１毎に固有に割り当てられる情報であるため、この光ディスク１に対して記録再生を行う記録再生装置に装填されたときに、この記録再生装置の光ピックアップ装置によって読取り可能な形態で光ディスク１に記憶する必要がある。
【００４８】
また、光ディスク１の情報記憶領域７には書き替え不能な情報を記録するエンボス領域７ａが設定されているが、このエンボス領域７ａにピットを形成するにはスタンパが必要であり、光ディスク１毎に異なるスタンパを用意することは現実的ではない。従って、ディスク識別情報は、情報記憶領域７に対する情報の記憶形態と異なる記憶形態によって記録する必要がある。
【００４９】
このような事情を考慮すると、ディスク識別情報は、情報記憶領域７のうちトランジション領域６とエンボス領域７ａを使用することができる。本実施例においては、トランジション領域６を特定記憶領域として用いてディスク識別情報を記憶するようにしている。このディスク識別情報は、トランジション領域６の全体を使用するか、一部を使用するかは任意である。
【００５０】
本実施の形態では、トランジション領域６の一部を使用し、トランジション領域６の最後の部分に表２に示すようなデータフォーマットを記憶し、そのデータフォーマットの最下位の３バイト（Ｂｙｔｅ）（バイト１３番からバイト１５番まで）を十進数に変換して下４桁の数字を発生させ、この下４桁の数字を識別情報として用いてカートリッジＩＤを付与するようにしている。
【００５１】
【表２】
2004021641.tif 000004
【００５２】
表２に示すデータフォーマットは、バイト０からバイト１５までの１６バイト（１６×８＝１２８ビット（Ｂｉｔ）　）によって構成されている。バイト０は、ビット０からビット７までの８ビットを使用し、ＢＣＡ　Ｃｏｎｔｅｎｔ　Ｃｏｄｅ＝０１１６　として固定のデータが記憶される。バイト１は、ビット０からビット７までの８ビットを使用し、Ｃｏｎｔｅｎｔ　Ｌｅｎｇｔｈ＝０Ｅ１６　として固定のデータが記憶される。バイト２のビット４からビット７までは、Ｃａｔｅｇｏｒｙとして固定のデータが記憶される。そして、バイト２のビット０からビット３までとバイト３のビット０からビット７までの合計１２ビットは、Ｄｉｓｃ　Ｍａｎｕｆａｃｔｕｒｅｒ　Ｃｏｄｅとしてディスクを製作するメーカーの通し番号が記憶される。
【００５３】
また、データフォーマットのバイト４からバイト１５までの１２バイトは、Ｓｅｒｉａｌ　Ｎｕｍｂｅｒ　としてメーカーが使用する領域である。このシリアルナンバー領域には、例えば、その光ディスクに固有の製造番号が１個ずつ記憶される。このシリアルナンバー領域の最後の３バイト、即ち、バイト１３からバイト１５までの３バイト（＝２４ビット）を使用し、これを十進数に変換して下４桁の数字を発生させる。この下４桁の数字を表す２４ビットの情報を、それぞれの光ディスク１を他の光ディスクと識別するためのディスク識別情報として用いて光ディスク１に付与する。
【００５４】
特定記憶領域に対するディスク識別情報の記録は、例えば、レーザーマーキング加工によって行うことができる。即ち、情報記憶面４のトランジション領域６とエンボス領域７ａの部分にも相変化記録膜が設けられているため、相変化記録膜に対するレーザビームの照射による相変化記録膜の相変化によって行う。また、トランジション領域６とエンボス領域７ａの部分にエンボス加工を施して情報を記録するようにしても良い。このように形成されたディスク識別情報は、情報記憶面４の他の箇所とレーザビームの反射率が異なるため、光ピックアップ装置による読取りが可能となる。
【００５５】
尚、光ディスクが光磁気ディスクである場合には、トランジション領域６とエンボス領域７ａの部分にもアルミニウム等からなる反射膜が形成されている。このため、ディスク識別情報の記録は、例えば、反射膜に対するレーザビームの照射による反射膜の除去によって行うことができる。
【００５６】
また、ディスク識別情報は、特定記憶領域に対して行う記憶とは別に、外部から視認できる箇所において視認可能な状態としても設ける。外部から視認可能な箇所に設けるディスク識別情報の記録は、特定記憶領域に対する情報の記録形態と異なる形態で行う。この実施例では、図２に示すように、光ディスク１の基体２の基盤面９にディスク識別情報１４を視認可能な状態で設けている。
【００５７】
この基盤面９に記録するディスク識別情報１４は、ユーザーが所有する複数の光ディスク１の中で重複することがなく、且つ、ユーザーが目視して簡単に識別できればよいので４桁の数字（例えば、「１２３４」）として表示されれば良い。しかしながら、本発明は、この実施例に限定されるものではなく、４桁の数字の上に５桁若しくは６桁以上となる数字或いはアルファベットその他の文字、記号等を加える構成としても良い。更に、これとは逆に、４桁の数字の下に１桁若しくは２桁以上となる数字或いはアルファベットその他の文字、記号等を加える構成としても良く、その組み合わせは自由に選択することができる。
【００５８】
基盤面９に対するディスク識別情報１４の記録は、例えば、レーザーマーキング装置ＬＭによって行うことができる。レーザーマーキング装置ＬＭでレーザビームを情報記憶面４のトランジション領域６に照射し、その相変化記録膜に相変化を与えて記録する（図１（Ｂ））。次に、ディスク識別情報のうち、下４桁の十進数（例えば「１２３４」）からなるディスク識別情報１４を基体２の基盤面９に、レーザーマーキング装置ＬＭによりレーザビームを照射することによって設ける（図１（Ｃ））。
【００５９】
尚、基盤面９に対するディスク識別情報１４の記憶方法としては、上述したレーザーマーキング装置によるレーザーマーキングの他、例えば、彫刻、超音波ペンマーキング、エアペンマーキング、インクジェット印刷等の任意の方法を採用することができる。
【００６０】
また、次のような工程により、ディスク識別情報１４を基盤面９に設けることも可能である。まず、光ディスク１の情報記憶面４にディスク識別情報をレーザーマーキング或いは加熱等の方法で記録する。次いで、光ディスク１のディスク識別情報を光ピックアップ装置によって読取り、その読み取ったディスク識別情報に基づき前述と同様にして基盤面９にディスク識別情報１４をレーザーマーキング或いは上述した任意の方法で設ける。
【００６１】
更に、次のような工程により、ディスク識別情報１４を基盤面９に設けることも可能である。まず、光ディスク１の情報記憶面４にディスク識別情報をレーザーマーキング或いは加熱等の方法で記録する。次いで、光ディスク１のディスク識別情報に基づいて上述と同様にして基盤面９に、ディスク識別情報１４をレーザーマーキング或いは上述した任意の方法で設ける。即ち、光ディスク１からディスク識別情報１４を読み取る工程を省き、光ディスク１の情報記憶面４にディスク識別情報を記録すると共に、そのディスク識別情報に基づいて基盤面９にディスク識別情報１４を設けても良い。
【００６２】
図２は、上述のように形成される光ディスク１をカートリッジケース２１内に回転自在に収納してディスクカートリッジ２０を構成すると共に、カートリッジケース２１にディスク識別情報１４と同一のカートリッジ識別情報２２を付与した実施の例を示すものである。
【００６３】
カートリッジケース２１は、光ディスク１（図３Ａ）を回転自在に収納することができるディスク収納部を有する中空の偏平な箱体によって構成されている（図３Ｂ）。このカートリッジケース２１の図に現れない下面には、シャッタによって開閉自在とされた開口部が設けられている。このカートリッジケース２１の開口部は、ディスク収納部内に収納されている光ディスク１の情報記憶面の一部を露出させるもので、シャッタの開放時には、記録再生装置の光ピックアップ装置の光ピックアップ部が挿入されて情報記憶面に対向される。
【００６４】
図３Ｅは、上述したような構成を有するディスクカートリッジ２０を、保護筐体２３に収納した状態を示すものである。保護筐体２３は、ディスクカートリッジ２０を着脱可能に収納することができるカートリッジ収納部２４を有する中空の偏平な四角形の箱体によって構成されている。この保護筐体２３の幅の狭い四面のうちの一面に、カートリッジ収納部２４の開口部が設けられている。
【００６５】
このような構成を有するディスクカートリッジ２０に対しても、上述した光ディスク１と同様に、識別情報の第２の具体例を示すカートリッジ識別情報（カートリッジＩＤ）２２を設ける。同様に、保護筐体２３に対しても、カートリッジ識別情報に対応する筐体識別情報を設けるとよい。この実施例では、保護筐体２３の四面のうちの開口部と隣り合う他の一面に、ディスク識別情報１４及びカートリッジ識別情報２２と同一で４桁の数字からなる筐体識別情報２５が外部から視認可能に設けられている。
【００６６】
上述したカートリッジ識別情報２２は、例えば、次のようにして設けることができる。まず、図３Ｃに示すように、カートリッジケース２１に収納された状態の光ディスク１の情報記憶面４のうちトランジション領域６の特定記憶領域に、レーザーマーキング装置ＬＭを用いてレーザーマーキング（或いは任意の方法）によって３バイト（２４ビット）で表されるカートリッジ識別情報を記録する。次いで、光ディスク１に記憶された２４ビット表示の識別情報に対応した４桁の十進数からなるカートリッジ識別情報２２を、カートリッジケース２１の外部から視認できる任意の位置に設ける。
【００６７】
この実施例では、図３Ｄに示すように、カートリッジケース２１の背面に設定されたラベル貼付面２１に、レーザーマーキング或いは加熱等の方法で記録している。このカートリッジ識別情報２２の記録方法としては、彫刻、超音波ペンマーキング、インクジェット印刷等の任意の方法を用いることができる。このカートリッジ識別情報２２が付与されたディスクカートリッジ２０は、例えば、図３Ｅに示すように、保護筐体２３に着脱自在に収納されて保管される。
【００６８】
尚、筐体識別情報２５は、例えば、ディスクカートリッジ２０に対してカートリッジ識別情報２２が付与された後、その番号を見て使用者が手書きで保護筐体２３に書込み、印刷し、刻印し、或いはその番号が記載されたテープやラベルを貼付する等の各種の手段を採用することができる。
【００６９】
このように、保護筐体２３にディスク識別情報１４と同様の筐体識別情報２５を設けた場合、常に対応する識別番号を有するディスクカートリッジ２０を収納することを条件として、保護筐体２３の筐体識別情報２５に基づいて、同一の識別番号を有する光ディスク１を容易に視認することができる。また、この実施例のように保護筐体２３の端面に筐体識別情報２５を設けた場合には、図４に示すように、複数の保護筐体２３の情報表示面を揃えて厚さ方向に重ねて並べることにより、各情報表示面に設けた筐体識別情報２５を一目で視認することができる。
【００７０】
次に、上述したディスクカートリッジ２０を用いて光ディスク１を記録再生する記録再生システム３０の構成について説明する。本実施の形態における記録再生システム３０は、図４に示すような構成を有している。記録再生システム３０は、光ディスクが収納されたディスクカートリッジ２０と、このディスクカートリッジ２０を用いて情報の記録及び再生を行う記録再生装置３１と、この記録再生装置３１から出力される再生信号を受けて情報の内容を画面に表示する表示装置の一具体例を示すディスプレイ３２等から構成されている。
【００７１】
記録再生装置３１は、装置本体が収納される筐体３３と、この筐体３３のフロント面に設けられ且つ装置本体に供給される電流をオン・オフさせる電源スイッチ３４と、動作を起こさせる信号等を入力する操作部３５と、動作状態等を表示する表示部３６と、動作を起こさせる信号等を遠隔操作によって入力させるリモコン装置３７等を備えて構成されている。操作部３５及び表示部３６は電源スイッチ３４と同様にフロント面に設けられていて、操作部３５は、光ディスク１の再生、記録、停止、早送り、巻戻し、イジャクト等の操作を行うものである。
【００７２】
更に、筐体３３のフロント面には、リモコン装置３７から送信される無線制御信号（赤外線信号）を受信する受信部３８と、他の電子機器と配線を接続するための接続部３９とが設けられている。リモコン装置３７を操作することにより、操作部３５を操作するのと同様に遠隔操作ができるようになっている。更に又、筐体３３のフロント面の略中央部には、ディスクカートリッジ２０が出し入れされるカートリッジ出入口４０が設けられている。
【００７３】
このカートリッジ出入口４０にディスクカートリッジ２０を挿入することにより、筐体内に設けられた図示しないローディング機構により搬送されてディスクカートリッジ２０が装置本体の所定位置にセットされる。そして、操作部３５に設けられたイジェクト釦を操作することにより、ローディング機構を逆動作させてディスクカートリッジ２０をカートリッジ出入口４０から排出させることができる。
【００７４】
また、記録再生装置３１の装置本体には、図４に示した記憶装置４１と、マイクロコンピュータ等からなる制御装置（ＣＰＵ）４２と、記録再生部と、光ピックアップ装置等が設けられている。制御装置４２は、操作部３５と受信部３８と記憶装置４１と記録再生部と光ピックアップ装置等の制御を司るものである。また、記録再生部は、光ピックアップ装置によって光ディスク１から再生される再生信号を処理し、ディスプレイ３２によって画面表示可能な信号として出力する機能と、記録しようとする情報の記録信号を光ピックアップ装置に入力して光ディスク１に情報を記録する機能とを備えている。
【００７５】
光ピックアップ装置は、光ビームを光ディスク１に照射して情報の記録と再生を行うものである。即ち、光ピックアップ装置は、入力される記録信号に基づいて光ディスク１の情報記憶領域７のリライタブル領域７ｂに情報（コンテンツ、後述するコンテンツ識別情報やコンテンツ内容情報）を記録し、また、情報記憶領域７のエンボス領域７ａとリライタブル領域７ｂに記録されている情報を読み取って再生信号を出力する。
【００７６】
また、リモコン装置３７と操作部３５は、コンテンツ内容情報を手動操作によって入力することができるように構成されている。これらによって入力されたコンテンツ内容情報は、制御装置の制御によって記録再生部から光ピックアップ装置に記録信号として入力され、光ディスク１のリライタブル領域の７ｂのデータ領域に管理されて記録されるようになっている。
【００７７】
次に、このような構成を有する記録再生システム３０の動作について説明する。この記録再生システム３０の動作は、ディスクカートリッジ２０を記録再生装置３１に装填し、これに収納された光ディスク１に対してテレビ番組を記録及び再生する場合を例にとって説明する。まず、ディスクカートリッジ２０が記録再生装置３１に装填されると、制御装置４２の制御により光ディスク１に対して情報の再生及び記録と、記憶装置４１に対する情報の再生及び記録とが行われる。
【００７８】
ここで、光ディスク１に記録されるコンテンツ、コンテンツ識別情報、コンテンツ内容情報について説明する。コンテンツとは、番組そのものの情報であり、画像データ、音声データ、文字データ等を含む情報であり、データ領域１１に記録されるものである。コンテンツ識別情報は、データ領域１１に記録されるコンテンツ毎に割り当てられ、少なくとも同一の光ディスク内においては重複しないように付されるものである。このコンテンツ識別情報は、例えばＣＰＵによって生成され、光ディスク１のデータ領域１１に管理されて記録される。
【００７９】
コンテンツ内容情報は、光ディスク１のデータ領域１１に記録されるコンテンツ毎にそのコンテンツの内容に関わる情報、例えば番組のタイトル、キーワード、放送日時、録画時間、番組の概要を示す文字データ、音声データ、画像データ（サムネイル）等を含むものである。このコンテンツ内容情報は、例えばユーザーが操作部３５やリモコン装置３７を操作することによって生成され、光ディスク１のデータ領域１１に管理されて記録される。
【００８０】
次に、リードイン領域１０のエンボス領域７ａに記録される情報とリードアウト領域１２に記録される情報について説明する。光ディスク１のリードイン領域１１のうち、エンボス領域７ａは、書き替え不能な情報として例えばディスク一般情報（例えば、ディスクタイプ、線速、トラッキング情報等）や調整用信号等が記録されている。従って、このエンボス領域７ａに対して、記録再生装置３１から情報を記録する動作は行われず、情報の再生のみが行われるようになっている。このリードイン領域１０のうち、リライタブル領域７ｂに相当する領域は、レーザパワー較正に使用されたり、ディスク欠陥管理情報等が記録されたりする。また、リードアウト領域１２にも、ディスク欠陥管理情報等のリードアウト情報が記録される。
【００８１】
次に、記録再生装置３１の記憶装置４１に記憶される情報について説明する。この記憶装置４１には、光ディスク１に記録されているディスク識別情報１４及びこれと同一のカートリッジケース２１に記録されているカートリッジ識別情報２２毎に、コンテンツ識別情報とコンテンツ内容情報が互いに関連付けられて記録されている。従って、制御装置４２は、記憶装置４１に記憶された情報に対して検索動作を行うことができる。例えば、カートリッジ識別情報（カートリッジＩＤ）２２をキーにしてコンテンツ識別情報とコンテンツ内容情報を検索することができる。また、コンテンツ内容情報をキーにしてカートリッジ識別情報とコンテンツ識別情報を検索することができる。
【００８２】
これらカートリッジ識別情報、コンテンツ識別情報及びコンテンツ内容情報の記録装置４１に対する記録は、記録再生装置３１に装填されたディスクカートリッジ２０の光ディスク１にコンテンツが記録される際に行われる。或いは、記録再生装置３１に装填された既にコンテンツが記録されている光ディスク１からコンテンツが再生される際に行われる。
【００８３】
また、制御装置４２によるコンテンツ識別情報の生成は、同一のカートリッジ識別情報（カートリッジＩＤ）２２に対応する複数のコンテンツ識別情報の間で重複しないように、記憶装置４１に記憶されているディスク識別情報１４及びカートリッジ識別情報２２とコンテンツ識別情報の内容に基づいて行われる。そして、制御装置４２によるコンテンツ内容情報の生成は、使用者が操作部３５やリモコン装置３７を操作して作成し、入力する。従って、本例では、コンテンツ内容情報は、操作部３５やリモコン装置３７で入力可能な番組名、放送日時、放送時間、番組の概要を示す情報（文字情報）等である。
【００８４】
尚、記録再生装置３１がコンピュータと接続可能に構成されていれば、コンピュータを利用してサムネイル等の画像情報や音声情報をコンテンツ内容情報として記憶装置４１に記憶することができる。この記憶装置４１としては、例えば半導体メモリ或いはハードディスク等によって構成することができる。そして、記憶装置４１の記憶容量は有限であるため、記憶装置４１に記憶されている情報が記憶容量いっぱいになった場合には、記憶装置４１に記憶されている情報のうち、記憶された日時の古い情報から順次削除して新しい情報を記憶するように構成すればよい。
【００８５】
次に、図４を参照して、光ディスク１のディスク識別情報１４、ディスクカートリッジ２０のカートリッジ識別情報２２、コンテンツ識別情報、コンテンツ内容情報を利用した検索動作について説明する。いま、既にコンテンツが記録された複数のディスクカートリッジ２０があるものとする。
【００８６】
各光ディスク１の基盤面９に設けられたディスク識別情報１４、及びこれと同一のカートリッジケース２１に設けられたカートリッジ識別情報２２は、上述したように、光ディスク１のトランジション領域６に記憶されている十進法で表現されている４桁の数字で示されている。ここで、各ディスク識別情報１４及びカートリッジ識別情報２２が、例えば、「１２３４」、「５６７８」、「０００１」、「３３３３」、「０１１１」、「６６６６」であるものとする。
【００８７】
まず、ディスク識別情報１４及びカートリッジ識別情報２２が「１２３４」の光ディスク１に記憶されているコンテンツの内容を知りたい場合の検索動作について説明する。コンテンツの内容を知りたい光ディスク１に視認可能に設けられているディスク識別情報１４「１２３４」をリモコン装置３７（或いは操作部３５）を操作して入力し、そのディスク識別情報１４「１２３４」をキーにした検索動作を指示する。これにより、制御装置４２が受信部３８を介して受信した検索動作の指示に応じて、記憶装置４１に対してディスク識別情報１４「１２３４」をキーにして検索を行う。
【００８８】
その結果、制御装置４２が検索結果に応じた信号をディスプレイ３２に出力する。即ち、図４に示すように、ディスク識別情報１４「１２３４」と同一のディスク識別情報「１２３４」がディスプレイ３２に表示される。これと同時に、ディスプレイ３２の画面には、コンテンツ識別情報「３３３」、「４５６」、・・・と、各コンテンツ識別情報に対応したコンテンツ内容情報「映画「ＡＢＣ」、２００１／１０／１」、「日本シリーズ「Ｇ対Ｌ」、２００１／１０／１３」・・・といった情報が一覧に表示される。
【００８９】
これにより、使用者は、光ディスク１又はその光ディスク１に対応したディスクカートリッジ２０を実際に記録再生装置３１に装填することなく、所望の光ディスク１に記憶されているコンテンツ内容情報を知ることができる。尚、上記情報の中には、コンテンツ内容情報として番組名と記録開始年月日が含まれている。
【００９０】
また、あるコンテンツがどの光ディスク１に記憶されているかを知りたいときは、次のように検索する。まず、リモコン装置３７（或いは操作部３５）を操作してコンテンツ内容情報に含まれている情報、例えば、キーワードをキーにした検索動作を指示する。これにより、制御装置４２が記憶装置４１に対して上記キーワードをキーにして検索を行う。その結果、検索結果に応じた信号が制御装置４２からディスプレイ３２に出力される。
【００９１】
例えば、１つ或いは２以上のキーワードに該当して複数のディスク識別情報１４がディスプレイ３２に表示されると共に、各ディスク識別情報１４に対応するコンテンツ識別情報及びコンテンツ内容情報がリスト形式によって表示される。この際、ディスプレイ３２に表示されるディスク識別情報１４は、光ディスク１に視認可能に設けられているディスク識別情報１４と同様に、例えば４桁の十進数によって表示される。
【００９２】
従って、使用者は、光ディスク１に設けられているディスク識別情報１４に基づいて所望のコンテンツが記憶されている光ディスク１を特定することができる。つまり、使用者は、光ディスク１を実際に記録再生装置３１に装填することなく、所望のコンテンツが記憶されている光ディスク１を、ディスプレイ３２に表示されるディスク識別情報１４によって知ることができる。
【００９３】
また、光ディスク１のデータ領域１１に記録されている各コンテンツのアドレス等の情報と、コンテンツ識別情報とを関連付けて記録、管理することにより、コンテンツ内容情報を利用して、次のような機能を記録再生装置３１に持たせることができる。例えば、ディスプレイ３２上に、あるディスク識別情報１４と、そのディスク識別情報に対応するコンテンツ識別情報及びコンテンツ内容情報が表示されている状態で、再生したいコンテンツ識別情報を、例えば操作部３５等の操作によって制御装置４２に入力しておく。
【００９４】
次に、表示されているディスク識別情報１４に対応する光ディスク１が収納されたディスクカートリッジ２０を記録再生装置３１に装填する。これにより、制御装置４２は、装填されたディスクカートリッジ２０に収納されている光ディスク１に対して上記指定したコンテンツ識別情報に関連付けられたコンテンツのアドレスが集中管理されているデータ領域１１から読み出し、光ピックアップ装置及び記録再生部を制御してコンテンツの再生動作を行う。
【００９５】
また、コンテンツ内容情報にコンテンツの記録されている記録時間が含まれている場合には、制御装置４２によって光ディスク１の未記録領域の時間から各コンテンツの記録時間の総和を減算することにより、記録可能な時間を算出して記録再生装置の表示部３６に表示させるように構成することが可能である。更に、残量と記録すべきコンテンツの時間とを比較演算して、記録可能な光ディスクの選択を行うように構成することもできる。更に又、選択した光ディスクにコンテンツがすべて記録できるように記録品位を調整するように構成することもできる。
【００９６】
尚、コンテンツ識別情報及びコンテンツ内容情報は、上述したように使用者が操作部３５やリモコン装置３７を操作して作成、入力する他、放送局から番組と共に送信される付加的な情報を利用して作成することも可能である。また、市販ソフト、撮影済みのビデオカセットからコンテンツを光ディスクに記録する際に、これらのソフトやビデオカセットに記録されている付加的な情報を利用してコンテンツ識別情報及びコンテンツ内容情報を作成することも可能である。
【００９７】
上述した実施の形態では、ディスク識別情報を光ディスク１の情報記録領域７の特定記憶領域（例えば、トランジション領域６）にビット単位による３バイト（２４ビット）によって記憶すると共に、これに対応したディスク識別情報１４を外部から視認可能な箇所である基盤面９に設け、更に、ディスク識別情報１４と同一の４桁の数字からなるカートリッジ識別情報２２を、カートリッジケース２１の外部から視認可能な箇所であるラベル貼付面２１ａに設けた。しかしながら、以下に説明するように、ディスク識別情報を光ディスク１の基盤面９に設けた上に、或いは基盤面９に設ける代わりに上記設置形態とは別の形態によってディスク識別情報を光ディスク１に設けるようにしてもよい。
【００９８】
例えば、光ディスク１に記録されているディスク識別情報１４を格納したメモリを用意し、このメモリを光ディスク１の製造工程中において、基盤面９上に貼付して固定する構成としてもよい。この場合、記録再生装置３１にメモリの情報読取りが可能なメモリ読取り装置を設け、このメモリ読取り装置によって上記メモリからディスク識別情報を読み取るように構成する。この場合には、光ディスク１を光ピックアップ装置によって再生することなく、メモリからディスク識別情報を読み取ることができる。この場合のメモリは、接続端子が外部に露出された、いわゆる接触式であってもよく、また接続端子が露出されない、いわゆる非接触式のいずれの形態であってもよい。
【００９９】
また、外部から視認可能なディスク識別情報１４を設ける光ディスク１の設置箇所は、光ディスクの厚さ方向のいずれか一方の面の他、光ディスク１の径方向外側に面した外周面であってもよい。
【０１００】
上述した実施の形態では、情報記憶媒体として光ディスクを適用し、その光ディスクに固有のディスク識別情報を割り当てた場合について説明したが、例えばメモリカードのように記憶手段と該記憶手段を収容する本体とが一体的に設けられた半導体記憶装置においても、上記実施例と同様に、各半導体記憶装置毎に固有の識別情報を生成させて割り当てることができる。この場合にも、識別情報を半導体記憶装置の外部から視認可能に設けることは、半導体記憶装置に格納されているコンテンツを再生することなく、どのようなコンテンツがどの半導体記憶装置に記憶されているかを容易に知る上で有効である。
【０１０１】
図５Ａ，Ｂは、識別情報を外部から視認可能に設けた半導体記憶装置の一実施例を示すものである。半導体記憶装置５０は、コンテンツを含む情報の書き替えが可能な記憶手段である半導体メモリ５１と、この半導体メモリ５１を収容する本体５２とが一体的に構成されている。半導体メモリ５１には、予め半導体記憶装置５０に固有に割り当てられた識別情報が格納されている。また、本体５２は、適当な厚さを有する矩形板状に構成され、厚さ方向の一方の面５２ａに複数の端子５３が外方に露出して設けられている。各端子５３は、半導体メモリ５１に接続され、これら端子５３を介して半導体メモリ５１に対する給電、情報の記録及び再生が行われるように構成されている。
【０１０２】
この本体５２の外部から視認可能な箇所である２つの平面のうちの一方の平面部５２ａに、半導体記憶装置５０を同種の他の半導体記憶装置５０から識別するための十進法で表現された少なくとも４桁の数字からなる第１の識別情報５５が設けられている。そして、本体５２の外部から視認可能な箇所である４つの側面のうちの一側面部５２ｂにも、第１の識別情報５５と同一の第２の識別情報５６が設けられている。
【０１０３】
これらの識別情報５５，５６は、使用者が所有する複数の半導体記憶装置５０の中で重複することがなく、且つ、使用者が目視して簡単に識別できるものであればよい。そのため、この実施例においても上述した実施例と同様に、半導体メモリ５１に記憶されている識別情報のうち、その半導体メモリ５１に割り当てられた特定記憶領域に記憶されている３バイト（２４ビット）で表される識別情報に対応した４桁の数字によって識別情報５５，５６が構成されている。
【０１０４】
これら識別情報５５，５６の記憶方法としては、上述した実施例と同様に、彫刻、超音波ペンマーキング、エアペンマーキング、インクジェット印刷等の任意の方法を採用することができる。更に、外部から視認可能に設けられる識別情報は、光学的に再生可能に構成されていてもよい。
【０１０５】
このように構成される半導体記憶装置５０においても、同種のすべての半導体記憶装置に固有に割り当てられた識別情報が設けられているため、記憶メモリにコンテンツを記憶すると共に、コンテンツを識別するコンテンツ識別情報及びコンテンツの内容に関するコンテンツ内容情報を記憶メモリ５１に記憶しておくようにする。これにより、半導体記憶装置５０用の記録再生装置によってこれらコンテンツ識別情報及びコンテンツ内容情報を識別情報５５，５６と関連付けて記憶させることが可能となる。更に、識別情報は、本体５２の任意の箇所において外部から視認可能に設けられているため、半導体記憶装置５０のコンテンツを再生することなく、どのようなコンテンツがどの半導体記憶装置５０に記憶されているかを容易に知ることが可能となる。
【０１０６】
以上説明したが、本発明は上記実施の例に限定されるものではなく、上記実施例においては光学ディスクとして相変化型光ディスクを用いた例について説明したが、例えば、ＭＤ（ミニディスク）等で使用される光磁気ディスク、或いはＣＤ−Ｒ等で使用される色素変化型ディスク等に適用することができることは勿論である。このように、本発明は、その趣旨を逸脱しない範囲で種々変更できるものである。
【０１０７】
【発明の効果】
以上説明したように、本出願の請求項１記載の記憶装置の識別情報生成方法によれば、情報記憶媒体の特定の物の使用に割り当てられている特定記憶領域の少なくとも下位の３バイトを用いて識別情報の全部又は一部を生成するようにしたため、多くの同種の記憶装置に対して個別に識別情報を生成させて付与することができる。その結果、使用する数値の桁数があまり大きくなることがなく、この識別情報を利用する装置による処理時間を短くできると共に、同じ識別情報が生成されるのを極力少なくしてユーザーによる区別が容易にできるようにすることができるという効果を得ることができる。
【０１０８】
本出願の請求項２記載の記憶装置の識別情報生成方法によれば、情報記憶媒体の特定記憶領域として製造者等使用領域を用いることにより、製造者又は販売者において都合の良い識別情報を任意に生成させることができ、製造者等の段階において同種の記憶装置内で他の記憶装置と容易に識別することができるという効果を得ることができる。
【０１０９】
本出願の請求項３記載の記憶装置の識別情報生成方法によれば、多数のディスク状記憶媒体に対して十進法で表現される少なくとも４桁の固有の識別情報を生成させて付与することができ、ディスク状記憶媒体に固有に割り当てられたディスク識別情報を情報記憶領域の特定記憶領域に記憶することにより、その特定記憶領域に記憶されたコンテンツ情報をディスク用の記録再生装置により検索して識別することができるという効果を得ることができる。
【０１１０】
本出願の請求項４記載の記憶装置の識別情報生成方法によれば、多数の半導体記憶装置に対して十進法で表現される少なくとも４桁の固有の識別情報を生成させて付与することができ、半導体記憶装置に固有に割り当てられた半導体メモリ識別情報を半導体メモリの特定記憶領域に記憶することにより、その特定記憶領域に記憶されたコンテンツ情報を半導体メモリ用の記録再生装置により検索して識別することができるという効果を得ることができる。
【０１１１】
本出願の請求項５記載の記憶装置の識別情報生成方法によれば、識別情報を情報記憶媒体の表面に印刷、刻印、書込み、ラベル貼付等の表示手段によって表示し、その識別情報を外部から視認できるようにすることにより、情報記憶媒体のコンテンツを再生することなく、どのようなコンテンツがどの情報記憶媒体に記憶されているかを容易に知ることができるという効果を得ることができる。
【０１１２】
本出願の請求項６記載の記憶装置の識別情報生成方法によれば、識別情報を情報記憶媒体が収納される筐体の表面に印刷、刻印、書込み、ラベル貼付等の表示手段によって表示し、その識別情報を外部から視認できるようにすることにより、中身である情報記憶媒体のコンテンツを再生することなく、どのようなコンテンツがどの筐体内の情報記憶媒体に記憶されているかを容易に知ることができるという効果を得ることができる。
【０１１３】
本出願の請求項７記載の記憶装置の識別情報生成方法によれば、情報記憶媒体に記憶されている識別情報を光学的に再生するピックアップ装置によって再生することにより、識別情報自体又はその識別情報の内容である記録再生装置により検索して識別できると共に、そのコンテンツ情報を表示装置に表示することができるという効果を得ることができる。
【図面の簡単な説明】
【図１】本発明の情報記憶媒体の第１の実施例を示す光学ディスクの構成を示す説明図である。
【図２】図１に示す光学ディスクに識別情報を記録した状態を示すもので、同図Ａは記録前の状態、同図Ｂは情報記憶面に記憶した状態、同図Ｃは基盤面に視認可能に設けた状態、のそれぞれ説明図である。
【図３】本発明に係る光学ディスク、ディスクカートリッジ及び保護筐体の一実施例を示すもので、同図Ａは光学ディスク、同図Ｂは光学ディスクが収納されたディスクカートリッジ、同図Ｃはディスクカートリッジ内の光学ディスク、同図Ｄはカートリッジケースに識別情報を視認可能に記憶する状態、同図Ｅは識別情報が視認可能に表示されたディスクカートリッジを保護筐体に収納した状態、のそれぞれ説明図である。
【図４】本発明の情報記憶媒体の第１の実施の形態における光学ディスクが用いられる記録再生システムの構成を示す説明図である。
【図５】本発明の情報記憶媒体の第２の実施例に係る半導体記憶装置を示すもので、同図Ａは本体の平面部に識別情報を設けた状態、同図Ｂは本体の側面部に識別情報を設けた状態、のそれぞれ説明図である。
【符号の説明】
１　光ディスク（情報記憶媒体）、　４　情報記憶面、　６　トランジション領域（特定記憶領域）、　７　情報記憶領域、　８　リム領域、　９　基盤面、１０　リードイン領域、　１１データ領域、　１２　リードアウト領域、　１４　ディスク識別標識、　２０　ディスクカートリッジ（記憶装置）、　２１　カートリッジケース、　２１ａ　ラベル貼付面、　２２　カートリッジ識別情報、　２３　保護筐体、　３０　記録再生システム、　３１　記録再生装置、　３２　ディスプレイ（表示装置）、　３５　操作部、　３７　リモコン装置、　４１　記憶装置、　４２　制御装置（ＣＰＵ）、　５０　半導体記憶装置（記憶装置）、　５１　半導体メモリ（情報記憶媒体）、　５２　本体、　５５，５６　識別情報
【図１】
2004021641.tif 000005
【図２】
2004021641.tif 000006
【図３】
2004021641.tif 000007
【図４】
2004021641.tif 000008
【図５】
2004021641.tif 000009